(57)【要約】【課題】男性用小便器または男性用小便器を兼ねる便器の前部床面に生じがちな尿滴落下による床面汚染問題を解消する。【解決手段】男性用小便器または男性用小便器を兼ねる便器の前部床面に設置されるマット１が、薬剤を担持する複合材から成る。この複合材は、少なくとも尿滴で汚染される箇所が尿滴を吸収し得る材料で形成されている。また、多数回分のマットが連なった長尺体として形成されたマットを巻回して成るマット材ロールを、ロール中心で回転自在に保持して収納する収納箱に入れて、そのまま便器前に置き、適宜マットを引出して使用する尿滴対策装置も提供される。【選択図】図１
2005237824.tif 000002
【特許請求の範囲】
【請求項１】
男性用小便器または男性用小便器を兼ねる便器の前部床面に設置されるマットにおいて、
前記マットが、薬剤を担持する複合材から成り、
前記複合材は、少なくとも尿滴で汚染される箇所が尿滴を吸収し得る材料で形成されていることを特徴とする尿滴吸収用除菌・消臭マット。
【請求項２】
男性用小便器または男性用小便器を兼ねる便器の前部床面に設置されるマットにおいて、
前記マットが、除菌・消臭剤を担持する複合材から成り、
前記複合材は、少なくとも尿滴で汚染される箇所が尿滴を吸収し得る材料で形成されており、
前記尿滴で汚染される箇所は、前記マットの先端領域が便器の尿受け底面壁の前端縁よりも奥側の前記尿受け底面壁直下に位置するように、前記マットを設置した場合でも、その位置で尿滴が吸収されるように前記先端領域をも包含する範囲に相当することを特徴とする尿滴吸収用除菌・消臭マット。
【請求項３】
男性用小便器または男性用小便器を兼ねる便器の前部床面に設置されるマットにおいて、
前記マットは、除菌・消臭剤を保持し得る複合材から成り、該複合材が耐衝撃破壊強度を有し、しかも、適切な吸尿速度を示す孔隙率と保水率を有することを特徴とする尿滴吸収用除菌・消臭マット。
【請求項４】
交換可能にマットを保持する基枠部材と共に用いられる請求項１から請求項３までのいずれか１項に記載された尿滴吸収用除菌・消臭マット。
【請求項５】
尿受け底面壁が床面と同等の高さ水準にある形式の男性用小便器に適用されるマットであり、前記基枠部材の便器寄り端縁部に、便器の下縁部に係止して該基枠部材を固定するための鉤状の係止片が付されている請求項４に記載された尿滴吸収用除菌・消臭マット。
【請求項６】
前記基枠部材が、前記係止片に隣接する位置に消臭剤収容凹所を有する請求項５に記載された尿滴吸収用除菌・消臭マット。
【請求項７】
請求項４から請求項６までのいずれか１項で定義され、尿滴吸収用除菌・消臭マットと共に用いられる基枠部材。
【請求項８】
男性用小便器または男性用小便器を兼ねる便器の前部床面に設置されるマットを供給、設置するための尿滴対策装置において、
多数回分のマットが連なった長尺体として形成されたマットを巻回して成り、便器に向って横向きに配置されるべきマット材ロールと、
該マット材ロールを、ロール中心で回転自在に保持して収納する収納箱とで構成され、
前記収納箱は、便器の前部床面に配置され、便器使用者の両足間に無理なく位置する横幅サイズを有し、便器前に配置された状態で便器側の端部から引き出されたマット材が、反便器側に伸長して前記収納箱の上面を覆うように構成され、
前記マット材は、吸液性であって、便器使用者の両足間に無理なく位置する横幅サイズを有し、その長さ方向において、前記収納箱の上面長さに相当する等間隔で、多数の幅方向切断容易部を有し、もって、前記マット材ロールからのマット材の巻き出しによって、前記切断容易部の間隔に相当する長さで前記収納箱の上面を覆うことができるように構成されている尿滴対策装置。
【請求項９】
請求項８に記載された尿滴対策装置で使用されるマット材ロール。
【発明の詳細な説明】
【技術分野】
【０００１】
本発明は、男性用小便器または男性用小便器を兼ねる便器の前部床面の尿滴による汚染を防ぐ手段に係わり、とりわけ、前記便器の前部床面に設置される尿滴吸収用除菌・消臭マット、同じく前記便器の前部床面に設置される尿滴対策装置、および、該尿滴対策装置で用いるマット材ロールに関するものである。
【背景技術】
【０００２】
男性用小便器または男性用小便器を兼ねる便器の前部床面は、多くの場合、利用者の不注意による尿滴落下で汚されている。とりわけ、各種交通機関の駅トイレ、公衆便所、あるいは不特定多数の人が利用するビル内トイレでは、尿滴による床面汚染が顕著である。これは悪臭を放ち、多くのトイレ利用者にとって不快であるだけでなく、不潔、不衛生であり、また著しく美観を損なう。尿滴汚染を長期間放置すると、尿滴中に含まれる有機物質の空気中での酸化、酵素分解が生じ、さらには細菌類の繁殖により、極めて不快な悪臭を放ち、不快・不潔感が増すことになる。
【０００３】
このような問題に対応した技術が実用新案登録第２５７２２４０号公報で紹介されている。
【特許文献１】実用新案登録第２５７２２４０号公報。
【発明の開示】
【発明が解決しようとする課題】
【０００４】
かくして、本発明の目的は、男性用小便器または男性用小便器を兼ねる便器の前部床面に生じがちな尿滴落下による床面汚染問題を解消することである。
【課題を解決するための手段】
【０００５】
本発明第一の観点によれば、前記目的は、男性用小便器または男性用小便器を兼ねる便器の前部床面に設置される、以下の特徴を有する尿滴吸収用除菌・消臭マットを提供することによって達成される。
前記マットが、薬剤を担持する複合材から成り、
この複合材は、少なくとも尿滴で汚染される箇所が尿滴を吸収し得る材料で形成されていることを特徴とする尿滴吸収用除菌・消臭マット。
【０００６】
本発明第二の観点によれば、男性用小便器または男性用小便器を兼ねる便器の前部床面に設置される、以下の特徴を有する尿滴吸収用除菌・消臭マットが提供される。
前記マットが、除菌・消臭剤を担持する複合材から成り、
この複合材は、少なくとも尿滴で汚染される箇所が尿滴を吸収し得る材料で形成されており、
前記尿滴で汚染される箇所は、マットの先端領域が便器の尿受け底面壁（尿受け皿部分）の前端縁よりも奥側の尿受け底面壁直下に位置するように、マットを設置した場合でも、その位置で尿滴が吸収されるように前記先端領域をも包含する範囲に相当することを特徴とする尿滴吸収用除菌・消臭マット。
この尿滴吸収用除菌・消臭マットは、尿受け底面壁（尿受け皿部分）が床面よりも高い位置にあって、尿受け底面壁と床面との間に空間が存在する形式の男性用小便器に用いた場合に、前記空間部にマットの先端領域が位置するような場合（すなわち、尿受け底面壁の前端縁よりも奥側の尿受け底面壁直下に前記先端領域が存在するように、マットを設置した場合）でも、典型的汚染位置ではないその位置で不用意に尿滴が落ちても、首尾よく尿滴が吸収されるように、前記先端領域をも包含する範囲が、尿滴を吸収し得る材料で形成されているものである。
【０００７】
尿滴を吸収し得る材料の製造指針は以下のとおりである。
（１）プラスチック材の場合：  吸液性を与えるために微細な連続気泡体であることを要する。連続気泡体に除菌剤、消臭剤を含浸させる。
（２）木材、パルプ材：  木紛、木材繊維、破砕紙等に適当なバインダーを加えて、加圧（必要に応じて加熱して加圧）する等により、シート状に加工する。吸液性を与えるために微小空隙を有しなければならない。また、シート材に、薬剤（除菌剤、消臭剤）を含浸させる。木材繊維として、例えば、樹皮廃材を用いた場合には、それ自身、或る程度の除菌能力、消臭能力を有するが、さらに除菌剤、消臭剤を加えると効果的である。
（３）金属材、陶磁器材、鉱物：  吸液性を与えるために微小空隙を有するものとする（例えば、バインダーを用いてファイバーをシート状に加工したもの）。また、耐襲撃・破壊強度を有しなければならない。さらに、製造の際に、除菌剤、消臭剤を加える。
【０００８】
この尿滴吸収用除菌・消臭マットの具体的態様は以下のとおりである。
（１）交換可能にマットを保持する基枠部材と共に用いられる。尿滴吸収用除菌・消臭マットは、それ自体単独で、男性用小便器または男性用小便器を兼ねる便器の前部床面に設置することもできるが、その本来の特性である吸液性を有する限り、さほど高い機械的強度（特に、引張り強度）を必要とせず、そのため、便器の前部床面上で一定期間その形状を安定して保持するために、必要に応じて、形状保持性と定置性（位置づれし難いこと）をマットに与えるために、マットを保持する基枠部材を併用するのが効果的である。好適形態としての基枠部材は、マットの形状に対応して、その全周縁部に突条を有するものとし、基枠部材上に載置したマットが突条で囲まれて横移動しないようになされる。また、別の形態では、基枠部材の裏面（すなわち、下面）にエラストマー製の複数の吸着盤を設けて、これを円滑表面の床面に吸着させておく（床面に吸着盤を押し付けて、真空式に吸着させる）ことができる。この場合、係止片と基枠部材の連続部を折曲自在に構成しておけば、トイレ床面を清掃する際に、基枠部材を床面から持ち上げて便器側に寄せかけることができ、床面清掃作業の邪魔にならない。
【０００９】
（２）尿受け底面（尿受け皿面）が床面と同等の高さ水準にある形式の男性用小便器に適用されるマットとの組合せで使用される基枠部材の形態として、基枠部材の便器寄り端縁部に、便器の下縁部に係止して該基枠部材を固定するための鉤状の係止片が付される。これは、特別な形式の男性用小便器に対して係合関係で床面上に固定できる基枠部材の例であり、基枠部材の鉤状係止片を便器の下縁部に係止させて使用する。
【００１０】
（３）前記項目（２）において、係止片に隣接する位置で、基枠部材に消臭剤等のトイレ用薬剤を収容する凹所を設ける。男性用小便器では、尿受け底面に塊状防臭剤を配置することが多い。係止片に隣接して基枠部材に塊状防臭剤収容凹所を設けると便利である。
【００１１】
本発明による尿滴吸収用除菌・消臭マットに適用する薬剤としては、殺菌剤、除菌剤、消臭剤、防臭剤、空気清浄剤、芳香剤、忌避剤、防虫剤、殺蛆剤、殺虫剤等を挙げることができる。
【００１２】
本発明における複合材は、そのまま床面に敷設して使用してもよく、また、基枠内に収めて使用してもよい。また、尿滴を吸収し易く、尿一滴が１秒以内に吸収される特性を有する、マット材に適する素材（尿滴を吸収し得る材料）として、布帛（織布、不織布、編織布等）等を用いるのが好適であるが、実施可能な限り、マット素材の選択に何らの制限もない。
【００１３】
本発明における複合材の耐衝撃破壊強度は、布帛を素材とする場合に、何ら問題はないが、木紛をバインダーで固めたマット状体、あるいは、素焼き材をマット状にしたものでは、０．５Ｋｇ／ｃｍ２程度の衝撃に耐えればよく、実施可能である限り、この記値に制限されない。
【００１４】
本発明における尿滴を吸収し得る材料の空隙率は、実用上の吸液性を発揮できる値であればよいが、材質によって適切な値が異なる。したがって、好適空隙率は、一概に定められないが、一応の目安は２０％以上である。ただし、この値以下でも、実用可能な材質であれば、何ら差し支えない。
【００１５】
本発明における尿滴を吸収し得る材料は、尿滴吸収性能を発揮できる保水率を有しなければならない（００１６欄も参照）。
【００１６】
本発明における薬剤は、各種担体（液体、固体）に保持（溶解、分散なども含む）させこれを、複合材に対して、混合、塗布、含浸、噴霧、印刷、練り込み、貼り合わせ、挟持、接着、結合から成る群から選ばれる少なくとも一つによって付与する。
【００１７】
本発明における複合材は、その全体を尿滴を吸収し得る材料で形成するか、または、少なくとも尿滴で汚染される箇所を尿滴を吸収し得る材料で形成する。例えば、尿滴を吸収し得る材料として布帛（織布、不織布、編織布等）を用いる場合、これを、単層または複数層の層体としてマット状（シート状、板状を含む）にしたものの他、天然繊維、合成繊維、パルプ、高吸水性ポリマー、スポンジ、海綿、吸取紙、樹木、樹皮（これらの粉粒材）などを複合材の一部または全部として用いることができる。樹木、樹皮（これらの粉粒材）では、檜（ひのき）、杉、ヒバ等のように、消臭、殺菌などの効果を有する素材があり、粉粒材として複合材に混ぜたり、バインダーデ固めて板状にすれば、別途、薬剤を配合せずとも済むという利点がある。
【００１８】
本発明における位置ずれ防止手段（床面に対する位置ずれ防止手段）は、両面貼着材（両面接着テープ等）、螺子、釘、基枠との併用など、実施可能な限り、何ら制限を受けない。
【００１９】
本発明における複合材に耐水性を与えるための手段としては、被膜形成剤（例、スプレー塗布による）、および／または、撥水剤を複合材に付与すればよく、複合材の耐水性を高めることによって、複合材を薄く仕上げることができる。
【００２０】
本発明において、複合材の幅、および／または、長さ、面積を調整する手段としては、ミシン目、切れ目（スリット）、切り取り容易線等を、予め複合材に付与できる。
【００２１】
本発明において、前記薬剤は、予め複合材に付与してもよく、また、必要な際に、直接または間接的に複合材に付与してもよい。この付与手段としては、手操作式または足踏み式のエアゾール噴霧器があり、また、吸液芯付き容器を用い、薬剤液を毛細管現象で吸収した芯を媒体として複合材に薬剤液を付与することもできる。
【００２２】
本発明において、複合材の厚さは、可能な限り薄いのがよく、長さは、可能な限り短いのがよい。この長さは、敷設時のサイズであり、複合材をロール状に巻いたものを用い、必要な長さを引出して、ロールから切り離し、これを敷設することもできる。また、複合材の幅は、便器利用者が、両脚をひろげて立った時に、両脚間に収まる程度の寸法であってよい。
【００２３】
本発明第三の観点によれば、前記目的は、以下の尿滴対策装置を提供することによって達成される。
男性用小便器または男性用小便器を兼ねる便器の前部床面に設置されるマットを供給、設置するための尿滴対策装置であり、尿受け部の下方に空間がある男性用小便器（例、ＴＯＴＯ  ＵＦＳ８００ＣＥ，Ｕ２３＋Ｔ６０ＲＮＸ，Ｕ１０４＋Ｔ６０ＲＮＸ（いずれも商品番号）等）に使用され、この装置は、
多数回分のマットが連なった長尺体として形成されたマットを巻回して成り、便器に向って横向きに配置されるべきマット材ロールと、
該マット材ロールを、ロール中心で回転自在に保持して収納する収納箱とで構成され、
収納箱は、便器の前部床面に配置され、便器使用者の両足間に無理なく位置する横幅サイズを有し、便器前に配置された状態で便器側の端部から引き出されたマット材が、反便器側に伸長して収納箱の上面を覆うように構成され、
マット材は、薬剤を担持する複合材から成り、この複合材は、少なくとも尿滴で汚染される箇所が尿滴を吸収し得る材料で形成されており、
さらに、マット材は、その長さ方向において、収納箱の上面長さに相当する等間隔で、多数の幅方向切断容易部を有し、もって、マット材ロールからのマット材の巻き出しによって、前記切断容易部の間隔に相当する長さで収納箱の上面を覆うことができるように構成された尿滴対策装置。
【００２４】
この尿滴対策装置は、それ自体を、男性用小便器または男性用小便器を兼ねる便器の前部床面に設置することにより、一定期間経過する度に、新しいマットを継続的に尿滴対策装置から引き出して使用できるようにしたものである。マット材は、マット材ロールとして収納箱内に収容され、一定長さだけ引き出して、これを収納箱の上面を覆った状態で使用する。収納箱内に収容されたマット材ロールから巻き出されたマット材は、収納箱を便器前に配置した状態で、収納箱の便器寄りの端部から引き出され、収納箱の上面を覆いながら便器から離れる方向に引っ張って配置する。収納箱の上面を覆うマットを或る期間使用した後は、幅方向切断容易部でマット材ロール側から切り離し、新しいマットを引き出して使用すればよい。
このようにすれば、多数枚のマットを別途保管する必要がなく、定期的なマットの交換を容易に行なうことができる。また、収納箱の上面がマットで覆われているため、装置の汚れ（埃等による）を防ぐことができる。
【発明の効果】
【００２５】
以上述べたとおり、男性用小便器または男性用小便器を兼ねる便器の前部床面にマットを設置することにより、不用意に便器手前に落下させた尿を吸液性のマットに吸引させ、一定期間使用後にマットを交換して使用すれば、便器の前部床面に生じがちな尿滴落下による床面汚染問題を解消することができる。
以下、図示した本発明の具体例について説明する。
【実施例１】
【００２６】
図１は、本発明の一実施例に係わるマット１の平面図である。マット１はハート形であり、一端縁に形成された後退部２を、男性用小便器または男性用小便器を兼ねる便器の基部（床を貫通する箇所）に押し当てて便器の前部床面上に設置する。また、便器の尿受部の下に空間がある場合には、マット１の先端側をその空間部に位置づけることができる。マット１は、均一厚さの平板であり、樹脂材、木材、パルプ材、布帛（織布、不織布）、紙材、金属材（例：金属ファイバー）、陶磁器材（例：素焼）、鉱物から選ばれるいずれかの材料、または、それらのうちの２種以上から成る複合材で形成され、連続気泡、または、連続する微小空隙の内部に少なくとも除菌剤と消臭剤を含浸させている。
【実施例２】
【００２７】
図２は、概略６角形のマット３の平面図である。マット３は、６角形の一つの頂点に近い位置に円形開口４を有し、円形開口４が開放部５で外部に通じている。このマット３は、尿受け底面（尿受け皿面）が床面から十分離れた高い位置にある男性用小便器の排液筒の基部に円形開口４を合わせて使用する。マット３の材質は、マット１と同様である。
【実施例３】
【００２８】
図３は、マット１に類似した形状のマット６を示す平面図である。マット６は後退部７を有し、マット１と同様な便器に対して使用され、材質もマット１と同様である。
【実施例４】
【００２９】
図４は、概略４角形のマット８の平面図である。マット８は、その一辺に後退部９を有する。このマット８は、マット３と同様な形態で使用され、後退部９を、後退部９の円形開口４と同様に使用する。マット８の材質は、マット１と同様である。
【００３０】
マット８の特別な利用形態は、図５、図６に示す基枠部材１０を用いることである。
基枠部材１０は、樹脂材またはゴム材で形成された概略「田字形」の四つの開口１１を有する四角形体である。基枠部材１０は、周辺枠材１２と、中央円盤体１３と、周辺枠材１２と中央円盤体１３とを４箇所で連結する連結部材１４とで構成されている。周辺枠材１２は、横断面Ｌ字形をなすような上向き突条１２ａを有する。また、周辺枠材１２の一辺に、マット８の後退部９に対応する後退屈曲部１５を有する。
さらに、基枠部材１０の裏面（下面）には、角隅部４箇所と、周辺枠材１２の各辺の中央部（４箇所）と、中央円盤体１３の４箇所とに、吸着盤１６が突設されている。この吸着盤１６は、基枠部材１０を、設置面としての平滑な床面に吸着させるためのものである。
【００３１】
マット８の後退部９が、基枠部材１０の後退屈曲部１５に合致するように、マット８を基枠部材１０の上面に載せると、周辺枠材１２の突条１２ａで囲まれる部分にマット８が首尾よく収まる。この状態で、図２に示したマット３と同様に、尿受け底面（尿受け皿面）が床面から十分離れた高い位置にある男性用小便器の排液筒の基部に後退部９および後退屈曲部１５を合わせて、基枠部材１０およびこれに保持されたマット８を床面に設置する。そして、基枠部材１０の裏面（下面）に突設された吸着盤１６を床面に吸着させ、基枠部材１０の位置づれを防ぐ。
マット８を一定期間使用した後は、基枠部材１０上のマット８を取り除き、新しいマット８と交換する。
【実施例５】
【００３２】
図７、図８に示すマット１７は、一辺を開示とする概略四角形の袋体である。マット１７の材質は、マット１と同様である。そして、マット１７は、図９に示す基枠部材１８と共に使用する。
【００３３】
基枠部材１８は、基枠部材１０（図５、図６）と同様な材質で作られ、その四角形の板状部分１９を主体とし、板状部分１９の一辺の中央部に鉤状係止片２０が付されている（板状部分１９と鉤状係止片２０との関係は、後述する図１４の基枠部材に類似する）。鉤状係止片２０は、男性用小便器の尿受け底面（尿受け皿面）が床面と同等高さ水準にある形式のものに適用され、尿受け底面（尿受け皿面）の前縁部に引っ掛けて、基枠部材１８を固定するためのものである。マット１７と基枠部材１８とは、基枠部材１８の板状部分１９を、袋状のマット１７内に挿入して互いに一体化される。
【実施例６】
【００３４】
図１０、図１１に示すマット２１は、マット１と同様な材質で作られた四角形の単層体であり、マット１７と同じく、基枠部材１８と共に用いられる。図１０は、マット２１の裏面（下面）を見た状態であり、互いに対向する２辺を橋渡しする形態で、２つの帯材（紐状片）２２が付されている。マット２１と基枠部材１８とは、基枠部材１８の板状部分１９を、マット２１の本体部分と２つの帯材（紐状片）２２との間に挿入して互いに一体化される。この時、２つの帯材（紐状片）２２が床面に接するように両者の組立が行なわれる。
【実施例７】
【００３５】
図１２、図１３に示すマット２３は、マット１と同様な材質で作られた四角形体であり、マット１７と２１の中間的構造体である。
図１２は、マット２３の裏面（下面）を見た状態であり、一辺に沿ってマット２３の本体部分を裏返した形態のポケット２４が付されており、これと平行に、マット２１の帯材（紐状片）２２と同様な帯材（紐状片）２５が付されている。マット２３と基枠部材１８との組立関係は、マット２１と基枠部材１８の組立関係と類似するが、基枠部材１８の板状部分１９を帯材（紐状片）２５側から、マット２３の本体部分と帯材（紐状片）２５との間に挿入した後、ポケット２４内に挿入する点で異なる。この時、ポケット２４と帯材（紐状片）２５が床面に接するように両者の組立が行なわれる。
【実施例８】
【００３６】
図１４、図１５は、基枠部材１８の変形例に係わる基枠部材２６を示す平面図である。基枠部材２６は、基枠部材１８と同種材料で形成され、四角形の本体部分２７と、本体部分２７の一辺の中央位置に突設された鉤状係止片２８と、この係止片２８に隣接した位置で前記一辺に沿って設けた溝状の消臭剤収容凹所２９とを有する。
この基枠部材２６は、基枠部材１８と同様に前記各種マットと組み合わせて使用される。ただし、男性用小便器の尿受け底面（尿受け皿面）が床面と同等高さ水準にある形式のものに適用して、尿受け底面（尿受け皿面）の前縁部にこの係止片２８を引っ掛けて固定した状態で、消臭剤収容凹所２９内に消臭剤を入れて使用することができる。この場合、従来のように尿受け底面（尿受け皿面）内に消臭剤を設置する必要がない。
【実施例９】
【００３７】
図１６、図１７は、基枠部材２６の変形例に係わる基枠部材２６Ａである。この基枠部材２６Ａは、基枠部材１８と同種材料で形成され、四角形の本体部分２７Ａと、本体部分２７Ａの一辺の中央位置に突設された鉤状係止片２８Ａと、この係止片２８Ａを延長して設けた溝状の消臭剤収容凹所２９Ａとを有する。本体部分２７Ａと係止片２８Ａの連結部は強度を弱くして破断容易になされており、実際の設置時に、両者を分離して用いる。すなわち、本体部分２７Ａを床面上に設置し、尿受け底面（尿受け皿面）の前縁部に分離した係止片２８Ａを引っ掛けて用い、尿受け底面（尿受け皿面）内へ伸長する箇所にある消臭剤収容凹所２９Ａ内に消臭剤等のトイレ薬剤３０を入れて使用する。
【実施例１０】
【００３８】
図１８、図１９は、基枠部材１８と類似した形状の基枠部材３１を示す。この基枠部材３１は、基枠部材１８と同種材料で形成され、四角形の本体部分３２と、本体部分３２の一辺の中央位置に突設された鉤状係止片３４とを有する。図１８は、基枠部材３１を長手方向に沿って截断した断面図であり、図１９は、図１８におけるＸＩＸ−ＸＩＸ線に沿って截断した断面図である。
基枠部材３１の本体部分３２は、その長手方向両側辺に沿って溝３３を有する。本体部分３２の上にマット３５を載置して使用する点は、基枠部材１８と同様であるが、マット３５の両側辺を溝３３、３３内に位置づけておくことにより、マット３５の位置ズレを防ぐことができる。なお、本体部分３２と係止片３４との連結部を折曲自在にするか、または両者をヒンジ状に結合しておけば、床面の清掃を行うときに、本体部分３２は２点鎖線で示す様に立てておくことができる（図１８）。
【実施例１１】
【００３９】
図２０は、本発明の一例に係わる尿滴対策装置４０を示す長手方向に沿う断面図（側面視断面図）である。尿滴対策装置４０は、体操用跳び箱の踏切台に似た状態で、男性用小便器または男性用小便器を兼ねる便器の前部床面に設置して使用する。尿滴対策装置４０の横幅は、便器前に立った使用者の両足の間に収まる寸法になされる。尿滴対策装置４０を形成するマット用収納箱は、床面に接する底壁４１と、便器側縦壁４２と、両側壁４４と、便器側から手前に向って傾斜する上面壁４５とを有する。この収納箱内には、便器に向って横置きした姿勢でマット材ロール４６を収納する。マット１と同様の材料で形成されるマット材４６ａは、その長さ方向において、上面壁４５の長さに相当する等間隔で、多数の幅方向切断容易部を有し、それによって、マット材ロール４６からのマット材４６ａの巻き出しによって、切断容易部の感覚に相当する長さで上面壁４５を覆うことができるように構成されている。マット材ロール４６から巻き出されたマット材４６ａは、便器側縦壁４２の幅方向に形成したスリット４３を通じて外部に引き出され、上面壁４５を覆って設定される。マット材４６ａの切断容易部（例、ミシン目）は、その間隔長を上面壁４５の長さと一致させるようにすればよい。また、マット材ロール４６を収納箱内で回転自在に収納するために、両側壁４４の対向位置に支軸または軸受部を設けることとする。収納箱内へのマット材ロール４６の装入は、例えば、一方の側壁４４をヒンジ式に他の壁（例、上面壁４５または底壁４１）に支持させて、開閉自在とすればよい。あるいはまた、側壁４４の一方を省略して、収納箱を開放状態になし、残る側壁４４に比較的長い支軸を突設して、この支軸でマット材ロール４６を回転自在に支持してもよい。
【００４０】
このような尿滴対策装置４０を利用するに当たっては、便器側縦壁４２のスリット４３から外部に引き出したマット材４６ａを上面壁４５に沿わせて図２０の状態になるようにして、収納箱の便器側縦壁４２を便器の基部に寄せて設置する。この状態で、便器利用頻度に応じた一定期間が経過した後、上面壁４５を覆うマット材４６ａを切断容易部で切り離して、これを廃棄し、マット材ロール４６の巻き出しによって、新たなマット材４６ａを外部に引き出して上面壁４５を覆えばよい。なお、床面を清掃する際に、底壁４１が床面に接する姿勢で、尿滴対策装置４０を立てておけば、尿滴対策装置４０が床面に対して占める面積を小さくでき、清掃能率の低下を防ぐことができる。
【実施例１２】
【００４１】
図２１は、尿滴対策装置４０の変形例に係わる尿滴対策装置４７を示す。尿滴対策装置４７は、側面視が長方形である点を除き、尿滴対策装置４０と同様な構造であり、同様な態様で使用可能である。
【実施例１３】
【００４２】
図２２は、尿滴対策装置４７の変形例に係わる尿滴対策装置４８を示す。尿滴対策装置４８は、尿滴対策装置４０、４７と同様に、収納箱内にマット材ロール４６を有し、便器側縦壁４２Ａに形成されたスリット４３Ａから引き出されたマット材４６ａで上面壁４５Ａを覆うようになっている。上面壁４５Ａを覆うマット材４６ａの先端部分は、便器側縦壁４２Ａとは反対側の縦壁４９に形成したスリット５０を通して収納箱内に引き込み、収納箱の両側壁４４Ａ間に設けた駆動回転軸５１に巻き取りできるようになっている。駆動回転軸５１は、一端部を収納箱の外部に延出して、その箇所にハンドルを付し、手動式に回転させ得るようになっている。このような構成によれば、便器利用頻度に応じた一定期間が経過した後、駆動回転軸５１を回転させてマット材４６ａを巻き取り、マット材ロール４６から新たに引き出されたマット材４６ａで上面壁４５Ａを覆うことができる。この場合のマット材４６ａには、切断容易部を設ける必要がない。
【図面の簡単な説明】
【００４３】
【図１】本発明の一実施例に係わるマットの平面図。
【図２】本発明の別例に係わるマットの平面図。
【図３】本発明の別例に係わるマットの平面図。
【図４】本発明の別例に係わるマットの平面図。
【図５】図４に示すマットと共に使用する基枠部材の平面図。
【図６】図５におけるＶＩ−ＶＩ線截断図。
【図７】本発明の別例に係わるマットの平面図。
【図８】図７におけるＶＩＩＩ−ＶＩＩＩ線截断図。
【図９】図７に示すマットと共に使用する基枠部材の縦断側面図。
【図１０】図７に示すマットの変形例を示す裏面図。
【図１１】図１０におけるＸＩ−ＸＩ線截断図。
【図１２】図１０に示すマットの変形例を示す裏面図。
【図１３】図１２におけるＸＩＩＩ−ＸＩＩＩ線截断図。
【図１４】図９に示す基枠部材の変形例を示す平面図。
【図１５】図１４におけるＸＶ−ＸＶ線截断図。
【図１６】図１４に示す基枠部材の変形例を示す平面図。
【図１７】図１６におけるＸＶＩＩ−ＸＶＩＩ線截断図。
【図１８】図９に示す基枠部材の変形例を示す断面図。
【図１９】図１８におけるＸＩＸ−ＸＩＸ線截断図。
【図２０】本発明の一例に係わる尿滴対策装置の断面図（側面視断面図）。
【図２１】図２０に示す尿滴対策装置の変形例の断面図（側面視断面図）。
【図２２】図２１に示す尿滴対策装置の変形例の断面図（側面視断面図）。
【符号の説明】
【００４４】
１  マット
２  後退部
３  マット
４  円形開口
５  開放部
６  マット
７  後退部
８  マット
９  後退部
１０  基枠部材
１１  開口
１２  周辺枠材
１２ａ  突条
１３  中央円盤体
１４  連結部材
１５  後退屈曲部
１６  吸着盤
１７  マット
１８  基枠部材
１９  板状部分
２０  鉤状係止片
２１  マット
２２  帯材（紐状片）
２３  マット
２４  ポケット
２５  帯材（紐状片）
２６  基枠部材
２７  本体部分
２８  係止片
２９  消臭剤収容凹所
３０  消臭剤等のトイレ薬剤
３１  基枠部材
３２  本体部分
３３  溝
３４  鉤状係止片
３５  マット
４０  尿滴対策装置
４１  底壁
４２  便器側縦壁
４３  スリット
４４  側壁
４５  上面壁
４６  マット材ロール
４６ａ  マット材
４７  尿滴対策装置
４８  尿滴対策装置
【図１】
2005237824.tif 000003
【図２】
2005237824.tif 000004
【図３】
2005237824.tif 000005
【図４】
2005237824.tif 000006
【図５】
2005237824.tif 000007
【図６】
2005237824.tif 000008
【図７】
2005237824.tif 000009
【図８】
2005237824.tif 000010
【図９】
2005237824.tif 000011
【図１０】
2005237824.tif 000012
【図１１】
2005237824.tif 000013
【図１２】
2005237824.tif 000014
【図１３】
2005237824.tif 000015
【図１４】
2005237824.tif 000016
【図１５】
2005237824.tif 000017
【図１６】
2005237824.tif 000018
【図１７】
2005237824.tif 000019
【図１８】
2005237824.tif 000020
【図１９】
2005237824.tif 000021
【図２０】
2005237824.tif 000022
【図２１】
2005237824.tif 000023
【図２２】
2005237824.tif 000024